(57)【要約】【課題】光を利用した通信を実現できるとともに、高い演色性を得ることができる照明装置を提供する。【解決手段】第１制御部２ａは、赤色ＬＥＤ５から放射される赤色光、緑色ＬＥＤ６から放射される緑色光及び青色ＬＥＤ７から放射される青色光の少なくとも何れか一つの光を変化させることにより、特定の情報を送信する。第２制御部２ｂは、白色ＬＥＤ８から放射される白色光を調節する。赤色ＬＥＤ５、緑色ＬＥＤ６、青色ＬＥＤ７及び白色ＬＥＤ８は、基板９に集中実装される。【選択図】図９
2018120759.tif 000002
【特許請求の範囲】
【請求項１】
赤色光を放射する第１発光素子と、
緑色光を放射する第２発光素子と、
青色光を放射する第３発光素子と、
前記第１発光素子から放射される赤色光、前記第２発光素子から放射される緑色光及び前記第３発光素子から放射される青色光の少なくとも何れか一つの光を変化させることにより、特定の情報を送信する第１制御手段と、
白色光を放射する第４発光素子と、
前記第４発光素子から放射される白色光を調節する第２制御手段と、
透過部材と、
前記第１発光素子から放射される赤色光、前記第２発光素子から放射される緑色光、前記第３発光素子から放射される青色光及び前記第４発光素子から放射される白色光が混合された光が前記透過部材から放射されるように、前記第１発光素子、前記第２発光素子、前記第３発光素子及び前記第４発光素子が集中実装された基板と、
を備えた照明装置。
【請求項２】
赤色光を放射する第１発光素子、緑色光を放射する第２発光素子、青色光を放射する第３発光素子及び白色光を放射する第４発光素子を有する光源と、
前記第１発光素子から放射される赤色光、前記第２発光素子から放射される緑色光及び前記第３発光素子から放射される青色光の少なくとも何れか一つの光を変化させることにより、特定の情報を送信する第１制御手段と、
前記第４発光素子から放射される白色光を調節する第２制御手段と、
透過部材と、
前記第１発光素子から放射される赤色光、前記第２発光素子から放射される緑色光、前記第３発光素子から放射される青色光及び前記第４発光素子から放射される白色光が混合された光が前記透過部材から放射されるように、前記光源が設けられた基板と、
を備えた照明装置。
【請求項３】
前記透過部材は、前記基板を覆うカバーである請求項１又は請求項２に記載の照明装置。
【請求項４】
前記透過部材は、前記第１発光素子、前記第２発光素子、前記第３発光素子及び前記第４発光素子に対向するレンズである請求項１又は請求項２に記載の照明装置。
【請求項５】
前記第１発光素子、前記第２発光素子、前記第３発光素子及び前記第４発光素子の周囲を囲むケースを更に備えた請求項１から請求項４の何れか一項に記載の照明装置。
【請求項６】
前記第１発光素子から放射される赤色光、前記第２発光素子から放射される緑色光、前記第３発光素子から放射される青色光及び前記第４発光素子から放射される白色光を反射させる反射部材を更に備え、
前記反射部材で反射した前記第１発光素子からの赤色光、前記反射部材で反射した前記第２発光素子からの緑色光、前記反射部材で反射した前記第３発光素子からの青色光及び前記反射部材で反射した前記第４発光素子からの白色光が前記透過部材を透過する請求項１又は請求項２に記載の照明装置。
【請求項７】
前記第１制御手段は、前記第１発光素子から放射される赤色光の放射束、前記第２発光素子から放射される緑色光の放射束及び前記第３発光素子から放射される青色光の放射束を個別に調節可能である請求項１から請求項６の何れか一項に記載の照明装置。
【請求項８】
前記第１発光素子は赤色ＬＥＤであり、
前記第２発光素子は緑色ＬＥＤであり、
前記第３発光素子は青色ＬＥＤであり、
前記第４発光素子は白色ＬＥＤである請求項１から請求項７の何れか一項に記載の照明装置。
【請求項９】
赤色光を放射する第１赤色発光素子及び第２赤色発光素子と、
緑色光を放射する第１緑色発光素子及び第２緑色発光素子と、
青色光を放射する第１青色発光素子及び第２青色発光素子と、
前記第１赤色発光素子及び前記第２赤色発光素子から放射される赤色光、前記第１緑色発光素子及び前記第２緑色発光素子から放射される緑色光並びに前記第１青色発光素子及び前記第２青色発光素子から放射される青色光の少なくとも何れか一つの光を変化させることにより、特定の情報を送信する第１制御手段と、
白色光を放射する第１白色発光素子及び第２白色発光素子と、
前記第１白色発光素子及び前記第２白色発光素子から放射される白色光を調節する第２制御手段と、
を備え、
前記第１赤色発光素子、前記第１緑色発光素子、前記第１青色発光素子及び前記第１白色発光素子のどの発光素子も、残りの３つの発光素子の方が前記第２赤色発光素子、前記第２緑色発光素子、前記第２青色発光素子及び前記第２白色発光素子より近くに配置され、
前記第２赤色発光素子、前記第２緑色発光素子、前記第２青色発光素子及び前記第２白色発光素子のどの発光素子も、残りの３つの発光素子の方が前記第１赤色発光素子、前記第１緑色発光素子、前記第１青色発光素子及び前記第１白色発光素子より近くに配置された照明装置。
【請求項１０】
前記第１赤色発光素子、前記第２赤色発光素子、前記第１緑色発光素子、前記第２緑色発光素子、前記第１青色発光素子、前記第２青色発光素子、前記第１白色発光素子及び前記第２白色発光素子が設けられた基板を更に備えた請求項９に記載の照明装置。
【請求項１１】
赤色光を放射する第１赤色発光素子、緑色光を放射する第１緑色発光素子、青色光を放射する第１青色発光素子及び白色光を放射する第１白色発光素子を有する第１光源と、
赤色光を放射する第２赤色発光素子、緑色光を放射する第２緑色発光素子、青色光を放射する第２青色発光素子及び白色光を放射する第２白色発光素子を有する第２光源と、
前記第１赤色発光素子及び前記第２赤色発光素子から放射される赤色光、前記第１緑色発光素子及び前記第２緑色発光素子から放射される緑色光並びに前記第１青色発光素子及び前記第２青色発光素子から放射される青色光の少なくとも何れか一つの光を変化させることにより、特定の情報を送信する第１制御手段と、
前記第１白色発光素子及び前記第２白色発光素子から放射される白色光を調節する第２制御手段と、
を備えた照明装置。
【請求項１２】
前記第１光源及び前記第２光源が設けられた基板を更に備えた請求項１１に記載の照明装置。
【請求項１３】
前記基板を覆うカバーを更に備えた請求項１０又は請求項１２に記載の照明装置。
【請求項１４】
前記第１赤色発光素子、前記第１緑色発光素子、前記第１青色発光素子及び前記第１白色発光素子が対向する第１レンズと、
前記第２赤色発光素子、前記第２緑色発光素子、前記第２青色発光素子及び前記第２白色発光素子が対向する第２レンズと、
を更に備えた請求項９から請求項１２の何れか一項に記載の照明装置。
【請求項１５】
前記第１赤色発光素子、前記第２赤色発光素子、前記第１緑色発光素子、前記第２緑色発光素子、前記第１青色発光素子、前記第２青色発光素子、前記第１白色発光素子及び前記第２白色発光素子の周囲を囲むケースを更に備えた請求項９から請求項１４の何れか一項に記載の照明装置。
【請求項１６】
前記第１赤色発光素子及び前記第２赤色発光素子から放射される赤色光、前記第１緑色発光素子及び前記第２緑色発光素子から放射される緑色光、前記第１青色発光素子及び前記第２青色発光素子から放射される青色光並びに前記第１白色発光素子及び前記第２白色発光素子から放射される白色光を反射させる反射部材と、
前記反射部材で反射した前記第１赤色発光素子及び前記第２赤色発光素子からの赤色光、前記反射部材で反射した前記第１緑色発光素子及び前記第２緑色発光素子からの緑色光、前記反射部材で反射した前記第１青色発光素子及び前記第２青色発光素子からの青色光並びに前記反射部材で反射した前記第１白色発光素子及び前記第２白色発光素子からの白色光が透過するカバーと、
を更に備えた請求項９から請求項１２の何れか一項に記載の照明装置。
【請求項１７】
前記第１制御手段は、前記第１赤色発光素子及び前記第２赤色発光素子から放射される赤色光の放射束、前記第１緑色発光素子及び前記第２緑色発光素子から放射される緑色光の放射束並びに前記第１青色発光素子及び前記第２青色発光素子から放射される青色光の放射束を個別に調節可能である請求項９から請求項１６の何れか一項に記載の照明装置。
【請求項１８】
前記第１赤色発光素子及び前記第２赤色発光素子は赤色ＬＥＤであり、
前記第１緑色発光素子及び前記第２緑色発光素子は緑色ＬＥＤであり、
前記第１青色発光素子及び前記第２青色発光素子は青色ＬＥＤであり、
前記第１白色発光素子及び前記第２白色発光素子は白色ＬＥＤである請求項９から請求項１７の何れか一項に記載の照明装置。
【発明の詳細な説明】
【技術分野】
【０００１】
この発明は、照明装置に関する。
【背景技術】
【０００２】
特許文献１に、光を利用して通信を行うシステムが記載されている。特許文献１に記載されたシステムは、光源としてＬＥＤを備える。例えば、上記システムは赤色ＬＥＤ、緑色ＬＥＤ又は青色ＬＥＤの少なくとも２つのＬＥＤを備え、光の色を変化させることによって通信を行う。
【先行技術文献】
【特許文献】
【０００３】
【特許文献１】国際公開第２０１６／００１９７２号
【発明の概要】
【発明が解決しようとする課題】
【０００４】
３色のＬＥＤ、即ち赤色ＬＥＤ、緑色ＬＥＤ及び青色ＬＥＤを使用すると、白色光を得ることができる。しかし、赤色ＬＥＤ、緑色ＬＥＤ及び青色ＬＥＤを使用して得られた白色光は、演色性が低い。このため、特許文献１に記載されたシステムでは、例えば光源として３色のＬＥＤを備えていても、十分な演色性を得ることができなかった。特許文献１に記載されたシステムを照明用として利用すると、被照射物の色を精度良く再現することができなかった。
【０００５】
この発明は、上述のような課題を解決するためになされた。この発明の目的は、光を利用した通信を実現できるとともに、高い演色性を得ることができる照明装置を提供することである。
【課題を解決するための手段】
【０００６】
この発明に係る照明装置は、赤色光を放射する第１発光素子と、緑色光を放射する第２発光素子と、青色光を放射する第３発光素子と、第１発光素子から放射される赤色光、第２発光素子から放射される緑色光及び第３発光素子から放射される青色光の少なくとも何れか一つの光を変化させることにより、特定の情報を送信する第１制御手段と、白色光を放射する第４発光素子と、第４発光素子から放射される白色光を調節する第２制御手段と、透過部材と、第１発光素子から放射される赤色光、第２発光素子から放射される緑色光、第３発光素子から放射される青色光及び第４発光素子から放射される白色光が混合された光が透過部材から放射されるように、第１発光素子、第２発光素子、第３発光素子及び第４発光素子が集中実装された基板と、を備える。
【０００７】
この発明に係る照明装置は、赤色光を放射する第１発光素子、緑色光を放射する第２発光素子、青色光を放射する第３発光素子及び白色光を放射する第４発光素子を有する光源と、第１発光素子から放射される赤色光、第２発光素子から放射される緑色光及び第３発光素子から放射される青色光の少なくとも何れか一つの光を変化させることにより、特定の情報を送信する第１制御手段と、第４発光素子から放射される白色光を調節する第２制御手段と、透過部材と、第１発光素子から放射される赤色光、第２発光素子から放射される緑色光、第３発光素子から放射される青色光及び第４発光素子から放射される白色光が混合された光が透過部材から放射されるように、光源が設けられた基板と、を備える。
【０００８】
この発明に係る照明装置は、赤色光を放射する第１赤色発光素子及び第２赤色発光素子と、緑色光を放射する第１緑色発光素子及び第２緑色発光素子と、青色光を放射する第１青色発光素子及び第２青色発光素子と、第１赤色発光素子及び第２赤色発光素子から放射される赤色光、第１緑色発光素子及び第２緑色発光素子から放射される緑色光並びに第１青色発光素子及び第２青色発光素子から放射される青色光の少なくとも何れか一つの光を変化させることにより、特定の情報を送信する第１制御手段と、白色光を放射する第１白色発光素子及び第２白色発光素子と、第１白色発光素子及び第２白色発光素子から放射される白色光を調節する第２制御手段と、を備える。第１赤色発光素子、第１緑色発光素子、第１青色発光素子及び第１白色発光素子のどの発光素子も、残りの３つの発光素子の方が第２赤色発光素子、第２緑色発光素子、第２青色発光素子及び第２白色発光素子より近くに配置される。第２赤色発光素子、第２緑色発光素子、第２青色発光素子及び第２白色発光素子のどの発光素子も、残りの３つの発光素子の方が第１赤色発光素子、第１緑色発光素子、第１青色発光素子及び第１白色発光素子より近くに配置される。
【０００９】
この発明に係る照明装置は、赤色光を放射する第１赤色発光素子、緑色光を放射する第１緑色発光素子、青色光を放射する第１青色発光素子及び白色光を放射する第１白色発光素子を有する第１光源と、赤色光を放射する第２赤色発光素子、緑色光を放射する第２緑色発光素子、青色光を放射する第２青色発光素子及び白色光を放射する第２白色発光素子を有する第２光源と、第１赤色発光素子及び第２赤色発光素子から放射される赤色光、第１緑色発光素子及び第２緑色発光素子から放射される緑色光並びに第１青色発光素子及び第２青色発光素子から放射される青色光の少なくとも何れか一つの光を変化させることにより、特定の情報を送信する第１制御手段と、第１白色発光素子及び第２白色発光素子から放射される白色光を調節する第２制御手段と、を備える。
【発明の効果】
【００１０】
この発明に係る照明装置は、例えば、第１発光素子から放射される赤色光、第２発光素子から放射される緑色光及び第３発光素子から放射される青色光の少なくとも何れか一つの光を変化させることにより、特定の情報を送信する第１制御手段と、第４発光素子から放射される白色光を調節する第２制御手段とを備える。この発明に係る照明装置であれば、光を利用した通信を実現できるとともに、高い演色性を得ることができる。
【図面の簡単な説明】
【００１１】
【図１】この発明の実施の形態１における照明装置の利用例を示す図である。
【図２】照明器具及び制御ユニットの例を示す図である。
【図３】照明器具から放射されるＲＧＢ光の例を示す図である。
【図４】照明器具から放射される白色光の例を示す図である。
【図５】照明器具から放射される全体の光の例を示す図である。
【図６】照明器具から放射されるＲＧＢ光、白色光及び全体の光の例を示す図である。
【図７】照明器具から放射される光の他の例を示す図である。
【図８】照明器具から放射される光の他の例を示す図である。
【図９】照明器具の分解斜視図を示す。
【図１０】基板とＬＥＤを図１に示すＢ方向から見た図である。
【図１１】ＬＥＤとレンズの配置例を示す図である
【図１２】照明器具の比較例を示す図である。
【図１３】被照射物の影の部分に色割れが発生した様子を示す図である。
【図１４】照明器具の他の例を示す図である。
【図１５】照明器具の他の例を示す図である。
【図１６】この発明の実施の形態２における照明装置の利用例を示す図である。
【図１７】照明器具の例を示す図である。
【図１８】照明器具の分解斜視図である。
【図１９】基板とＬＥＤの配置例を示す図である。
【図２０】照明器具の比較例を示す図である。
【図２１】照明器具の比較例を示す図である。
【図２２】照明器具の他の比較例を示す図である。
【図２３】照明器具の他の比較例を示す図である。
【図２４】この発明の実施の形態３における照明装置の利用例を示す図である。
【図２５】図２４のＣ−Ｃ断面を示す図である。
【図２６】基板とＬＥＤの配置例を示す図である。
【図２７】照明器具の比較例を示す図である。
【図２８】照明器具の他の比較例を示す図である。
【図２９】この発明の実施の形態３における照明装置の他の利用例を示す図である。
【図３０】図２９に示す照明器具の断面を示す図である。
【図３１】照明器具の比較例を示す図である。
【図３２】照明器具の他の比較例を示す図である。
【発明を実施するための形態】
【００１２】
添付の図面を参照し、本発明を説明する。重複する説明は、適宜簡略化或いは省略する。各図において、同一の符号は同一の部分又は相当する部分を示す。
【００１３】
実施の形態１．
図１は、この発明の実施の形態１における照明装置の利用例を示す図である。照明装置は、例えば照明器具１及び制御ユニット２を備える。制御ユニット２は、第１制御部２ａ及び第２制御部２ｂを備える。
【００１４】
照明器具１は、光を放射する。照明器具１は、例えば、特定の被照射物を照らすために光を放射する。照明器具１は、特定の空間に向けて光を放射しても良い。図１は、鞄３を照らすために照明器具１が用いられる例を示す。照明器具１から放射された光は鞄３に当たる。鞄３に当たった光の一部は鞄３で反射する。図１では、鞄３で反射した照明器具１からの光のうち携帯端末４に向かう光を矢印Ａで示している。
【００１５】
図２は、照明器具１及び制御ユニット２の例を示す図である。照明器具１は、例えば複数のＬＥＤ（Ｌｉｇｈｔ  Ｅｍｉｔｔｉｎｇ  Ｄｉｏｄｅ）を備える。図２に示す例では、照明器具１は、複数の赤色ＬＥＤ５、複数の緑色ＬＥＤ６及び複数の青色ＬＥＤ７を備える。赤色ＬＥＤ５は、特定の領域に向けて赤色光を放射する。緑色ＬＥＤ６は、上記特定の領域に向けて緑色光を放射する。青色ＬＥＤ７は、上記特定の領域に向けて青色光を放射する。図１に示す例では、上記特定の領域に鞄３が置かれている。
【００１６】
図２は、複数の赤色ＬＥＤ５が直列で接続される例を示す。赤色ＬＥＤ５は並列で接続されても良い。照明器具１は赤色ＬＥＤ５を１つしか備えていなくても良い。図２は、複数の緑色ＬＥＤ６が直列で接続される例を示す。緑色ＬＥＤ６は並列で接続されても良い。照明器具１は緑色ＬＥＤ６を１つしか備えていなくても良い。図２は、複数の青色ＬＥＤ７が直列で接続される例を示す。青色ＬＥＤ７は並列で接続されても良い。照明器具１は青色ＬＥＤ７を１つしか備えていなくても良い。
【００１７】
図３は、照明器具１から放射されるＲＧＢ光の例を示す図である。図３は、赤色ＬＥＤ５から放射される赤色光、緑色ＬＥＤ６から放射される緑色光及び青色ＬＥＤ７から放射される青色光の例を示す。図３は、色温度が５０００Ｋ程度のＲＧＢ光のスペクトルを示す。図３に示すスペクトルの指数Ｒａは１８である。Ｒａは、色再現性を示す演色性の指数の１つである。以下においては、演色性の指数のことを平均演色評価数ともいう。図３は、照明器具１からのＲＧＢ光だけでは照明用として適していないことを示す。
【００１８】
第１制御部２ａは、赤色ＬＥＤ５、緑色ＬＥＤ６及び青色ＬＥＤ７を制御する。例えば、第１制御部２ａは、照明器具１からＲＧＢ光を放射させる。第１制御部２ａは、例えば赤色ＬＥＤ５から赤色光を放射させる。第１制御部２ａは、緑色ＬＥＤ６から緑色光を放射させる。第１制御部２ａは、青色ＬＥＤ７から青色光を放射させる。第１制御部２ａは、赤色ＬＥＤ５、緑色ＬＥＤ６及び青色ＬＥＤ７を個別に制御できる。
【００１９】
第１制御部２ａは、照明器具１から放射されるＲＧＢ光を調節する。「光を調節する」ことには、例えば光の強弱を変化させることが含まれる。「光を調節する」ことには、例えば光の色を変化させることが含まれる。光を調節する方法は、どのような方法を採用しても良い。例えば、振幅制御を採用し、照明器具１から放射されるＲＧＢ光を調節しても良い。振幅制御では、ＬＥＤの直流電流を制御することによって明るさを調節する。また、ＰＷＭ（Ｐｕｌｓｅ  Ｗｉｄｔｈ  Ｍｏｄｕｌａｔｉｏｎ）制御を採用し、照明器具１から放射されるＲＧＢ光を調節しても良い。ＰＷＭ制御では、一定の周波数でＬＥＤをオン及びオフし、このオン時間の比率を制御することによって明るさを調節する。第１制御部２ａは、例えば、赤色ＬＥＤ５から放射される赤色光を調節する。第１制御部２ａは、緑色ＬＥＤ６から放射される緑色光を調節する。第１制御部２ａは、青色ＬＥＤ７から放射される青色光を調節する。第１制御部２ａは、赤色ＬＥＤ５から放射される赤色光、緑色ＬＥＤ６から放射される緑色光及び青色ＬＥＤ７から放射される青色光を個別に調節できる。
【００２０】
第１制御部２ａは、照明器具１から特定の情報を送信させる。第１制御部２ａは、例えば、照明器具１から識別情報を送信させる。識別情報は、照明器具１を特定するための情報である。照明器具１には固有の識別情報が予め割り当てられる。第１制御部２ａは、例えば、赤色ＬＥＤ５から放射される赤色光、緑色ＬＥＤ６から放射される緑色光及び青色ＬＥＤ７から放射される青色光の少なくとも何れか一つの光を変化させることにより、照明器具１から識別情報を送信させる。
【００２１】
照明器具１から情報を送信させるために光を変化させる方法は、どのような方法でも良い。例えば、第１制御部２ａは、赤色ＬＥＤ５から放射される赤色光、緑色ＬＥＤ６から放射される緑色光及び青色ＬＥＤ７から放射される青色光のうちの一色の光或いは二色の光の強弱を変化させることにより、照明器具１から識別情報を送信させても良い。第１制御部２ａは、照明器具１から放射される光の照明としての制御条件を維持しながらＲＧＢ光の強弱を変化させることにより、照明器具１から識別情報を送信させても良い。「照明としての制御条件」は、例えば調光度、光色又は色温度の少なくとも何れか一つである。例えば、第１制御部２ａは、照明器具１から放射される光の色温度をある基準値或いは基準範囲に保ったままＲＧＢ光の明るさを微小変動させることにより、照明器具１から識別情報を送信させる。「照明としての制御条件」は、光束であっても良い。例えば、第１制御部２ａは、照明器具１から放射される光の光束をある基準値或いは基準範囲に保ったままＲＧＢ光の明るさを微小変動させることにより、照明器具１から識別情報を送信させても良い。第１制御部２ａは、赤色ＬＥＤ５から放射される赤色光の放射束、緑色ＬＥＤ６から放射される緑色光の放射束及び青色ＬＥＤ７から放射される青色光の放射束を個別に調節できる。識別情報の送信には、種々の可視光通信技術が適用できる。
【００２２】
図２に示す例では、照明器具１は、赤色ＬＥＤ５、緑色ＬＥＤ６及び青色ＬＥＤ７に加え、複数の白色ＬＥＤ８を備える。例えば、照明器具１は、それぞれ同じ数の赤色ＬＥＤ５、緑色ＬＥＤ６、青色ＬＥＤ７及び白色ＬＥＤ８を備える。白色ＬＥＤ８は、赤色ＬＥＤ５、緑色ＬＥＤ６及び青色ＬＥＤ７だけでは照明用として十分な演色性を得ることができないために備えられる。白色ＬＥＤ８は、上記特定の領域に向けて白色光を放射する。図１に示す例では、白色ＬＥＤ８からの白色光が放射される領域に向けて、赤色ＬＥＤ５からの赤色光、緑色ＬＥＤ６からの緑色光及び青色ＬＥＤ７からの青色光が放射される。即ち、図１に示す例では、白色ＬＥＤ８から放射された白色光は鞄３に当たる。図２は、複数の白色ＬＥＤ８が直列で接続される例を示す。白色ＬＥＤ８は並列で接続されても良い。照明器具１は白色ＬＥＤ８を１つしか備えていなくても良い。
【００２３】
図４は、照明器具１から放射される白色光の例を示す図である。図４は、白色ＬＥＤ８から放射される白色光の例を示す。図４は、色温度が４０００Ｋ程度の白色光のスペクトルを示す。図４に示すスペクトルの指数Ｒａは８３である。図４は、白色ＬＥＤ８だけで照明用として十分な演色性を備えることを示す。
【００２４】
第２制御部２ｂは、白色ＬＥＤ８を制御する。第２制御部２ｂは、第１制御部２ａが行う制御とは関係なく、白色ＬＥＤ８を独立に制御できる。第２制御部２ｂは、例えば白色ＬＥＤ８から白色光を放射させる。また、第２制御部２ｂは、白色ＬＥＤ８から放射される白色光を調節する。例えば、第２制御部２ｂは、白色ＬＥＤ８から放射される白色光の放射束を調節する。白色ＬＥＤ８は照明用であり、可視光通信用としては用いられない。即ち、白色ＬＥＤ８を利用して識別情報等の情報は送信されない。
【００２５】
制御ユニット２は、例えば制御器及び電源装置（共に図示せず）を備えても良い。制御器は、電源装置を制御する。照明器具１の制御は、制御器が電源装置を制御することによって行われる。制御器と電源装置とを独立の装置として存在させ、信号線で接続しても良い。制御器と電源装置とは一体の装置であっても良い。
【００２６】
図５は、照明器具１から放射される全体の光の例を示す図である。図５は、図３に示すスペクトルと図４に示すスペクトルとを混合させたスペクトルを示す。図５は、照明器具１から放射されるＲＧＢ光の放射束が全体の光の放射束の５％程度である例を示す。上記ＲＧＢ光の放射束は、赤色ＬＥＤ５から放射される赤色光、緑色ＬＥＤ６から放射される緑色光及び青色ＬＥＤ７から放射される青色光の放射束である。上記全体の光の放射束は、赤色ＬＥＤ５から放射される赤色光、緑色ＬＥＤ６から放射される緑色光、青色ＬＥＤ７から放射される青色光及び白色ＬＥＤ８から放射される白色光の放射束である。図５に示すスペクトルの色温度は、図４に示すスペクトルの色温度から＋４０Ｋ程度しかシフトしない。図５に示すスペクトルの指数Ｒａは８６である。図５に示すスペクトルの指数Ｒａは、図４に示すスペクトルの指数Ｒａより増加している。図５は、照明器具１を使用することが照明用として適していることを示す。
【００２７】
本照明装置であれば、光を利用した通信を実現できるとともに、高い演色性を得ることができる。なお、通信用の光の放射束は、全体の光の放射束の１０％程度までであることが望ましい。照明器具１から放射されるＲＧＢ光の放射束が全体の光の放射束の５％〜１０％であれば、光を利用した通信を実現でき、且つ高い演色性を得ることができる。また、色温度のシフト量も実用に問題がないレベルに留めることができる。具体的な計算結果を下記表１に示す。また、表１の結果を得るために必要な詳細データを下記表２に示す。
【００２８】
【表１】
2018120759.tif 000003
【００２９】
【表２】
2018120759.tif 000004
【００３０】
本照明装置では、第１制御部２ａによる制御により、赤色ＬＥＤ５から放射される赤色光、緑色ＬＥＤ６から放射される緑色光及び青色ＬＥＤ７から放射される青色光が個別に調節される。また、白色ＬＥＤ８から放射される白色光は、第１制御部２ａの制御とは関係なく、第２制御部２ｂによって調整される。このため、本照明装置であれば、使用者の好みに合わせた色再現性を実現できる。
【００３１】
例えば、図６は、照明器具１から放射されるＲＧＢ光、白色光及び全体の光の例を示す図である。図６は、照明器具１から放射されるＲＧＢ光の放射束が全体の光の放射束の５％である例を示す。図７及び図８は、照明器具１から放射される光の他の例を示す図である。図７は、赤色を強調した例を示す。図８は、青色を強調した例を示す。表３は、図６から図８に示す例の詳細データである。
【００３２】
【表３】
2018120759.tif 000005
【００３３】
例えば、使用者が被照射物の赤色を際立たせたい場合は、図７に示すように赤色光の出力を上げて平均演色評価数のＲ９を大きくすれば良い。使用者が被照射物の青色を際立たせたい場合は、図８に示すように青色光の出力を上げて平均演色評価数のＲ１２を大きくすれば良い。本照明装置であれば、図７及び図８に示すように、光束の変動及び相関色温度のシフト量を実用上問題がないレベルに抑えた上で、使用者の好みに合わせた色再現性を実現できる。上記調整は、赤色ＬＥＤ５、緑色ＬＥＤ６及び青色ＬＥＤ７に流す電流を変えることによって行うことができる。赤色ＬＥＤ５、緑色ＬＥＤ６及び青色ＬＥＤ７に流れる電流値を変えることが可能な手段を予め用意しておけば、照明器具１が設置された後に使用者が自分の好みに応じて上記調整を行うことも可能である。
【００３４】
次に、照明器具１の具体例について説明する。図９は、照明器具１の分解斜視図を示す。図９に示す例では、照明器具１は、３個の赤色ＬＥＤ５、３個の緑色ＬＥＤ６、３個の青色ＬＥＤ７及び３個の白色ＬＥＤ８を備える。照明器具１は、上記１２個のＬＥＤの他に、例えば基板９、３個のレンズ１０、ケース１１及びレンズおさえ１２を備える。
【００３５】
図１０は、基板９とＬＥＤを図１に示すＢ方向から見た図である。図１１は、ＬＥＤとレンズ１０の配置例を示す図である。図９から図１１に示す例では、１個の赤色ＬＥＤ５、１個の緑色ＬＥＤ６、１個の青色ＬＥＤ７及び１個の白色ＬＥＤ８によって１つのＬＥＤグループが形成される。図９及び図１０は、照明器具１が３つのＬＥＤグループを備える例を示す。
【００３６】
以下の説明では、照明器具１に備えられたＬＥＤを個別に特定する必要がある場合、図９及び図１０に示すように各符号の後に英字ａ〜ｃを付して区別する。図９及び図１０に示す例では、同じＬＥＤグループに属するＬＥＤに対して同じ英字が付されている。即ち、照明器具１は、赤色ＬＥＤ５ａ〜５ｃ、緑色ＬＥＤ６ａ〜６ｃ、青色ＬＥＤ７ａ〜７ｃ及び白色ＬＥＤ８ａ〜８ｃを備える。赤色ＬＥＤ５ａ、緑色ＬＥＤ６ａ、青色ＬＥＤ７ａ及び白色ＬＥＤ８ａはＬＥＤグループＧＡに属する。赤色ＬＥＤ５ｂ、緑色ＬＥＤ６ｂ、青色ＬＥＤ７ｂ及び白色ＬＥＤ８ｂはＬＥＤグループＧＢに属する。赤色ＬＥＤ５ｃ、緑色ＬＥＤ６ｃ、青色ＬＥＤ７ｃ及び白色ＬＥＤ８ｃはＬＥＤグループＧＣに属する。レンズ１０についても同様に、個別に特定する必要がある場合、図９及び図１０に示すように符号の後に英字ａ〜ｃを付して区別する。
【００３７】
基板９は、例えば円盤形状である。赤色ＬＥＤ５ａ〜５ｃ、緑色ＬＥＤ６ａ〜６ｃ、青色ＬＥＤ７ａ〜７ｃ及び白色ＬＥＤ８ａ〜８ｃは、基板９に設けられる。第１制御部２ａは、赤色ＬＥＤ５ａ〜５ｃ、緑色ＬＥＤ６ａ〜６ｃ及び青色ＬＥＤ７ａ〜７ｃを制御する。第１制御部２ａは、赤色ＬＥＤ５ａ〜５ｃから放射される赤色光、緑色ＬＥＤ６ａ〜６ｃから放射される緑色光及び青色ＬＥＤ７ａ〜７ｃから放射される青色光の少なくとも何れか一つの光を変化させることにより、特定の情報を送信する。第１制御部２ａは、赤色ＬＥＤ５ａ〜５ｃから放射される赤色光、緑色ＬＥＤ６ａ〜６ｃから放射される緑色光及び青色ＬＥＤ７ａ〜７ｃから放射される青色光を個別に調節できる。第２制御部２ｂは、白色ＬＥＤ８ａ〜８ｃを制御する。第２制御部２ｂは、第１制御部２ａが行う制御とは関係なく、白色ＬＥＤ８ａ〜８ｃから放射される白色光を調節できる。
【００３８】
同じＬＥＤグループに属するＬＥＤは、照明器具１において色割れが発生しない１つの発光体として機能するように、基板９の特定の領域に集めて配置される。例えば、ＬＥＤグループＧＡに属する赤色ＬＥＤ５ａ、緑色ＬＥＤ６ａ、青色ＬＥＤ７ａ及び白色ＬＥＤ８ａは、照明器具１において１つの発光体として機能するように、基板９の第１領域に集中実装される。同様に、ＬＥＤグループＧＢに属する赤色ＬＥＤ５ｂ、緑色ＬＥＤ６ｂ、青色ＬＥＤ７ｂ及び白色ＬＥＤ８ｂは、照明器具１において１つの発光体として機能するように、基板９の第２領域に集中実装される。ＬＥＤグループＧＣに属する赤色ＬＥＤ５ｃ、緑色ＬＥＤ６ｃ、青色ＬＥＤ７ｃ及び白色ＬＥＤ８ｃは、照明器具１において１つの発光体として機能するように、基板９の第３領域に集中実装される。
【００３９】
ＬＥＤグループＧＡでは、赤色ＬＥＤ５ａは、青色ＬＥＤ７ａ及び白色ＬＥＤ８ａに隣接する。緑色ＬＥＤ６ａは、青色ＬＥＤ７ａ及び白色ＬＥＤ８ａに隣接する。緑色ＬＥＤ６ａは、赤色ＬＥＤ５ａの対角に配置される。ＬＥＤグループＧＡに属するＬＥＤに関しては、どのＬＥＤも残りのＬＥＤの方が他のＬＥＤグループに属するＬＥＤよりも近くに配置される。即ち、ＬＥＤグループＧＡに属するＬＥＤ間の距離は、ＬＥＤグループＧＡに属するＬＥＤと他のＬＥＤグループに属するＬＥＤとの距離より短い。
【００４０】
例えば、赤色ＬＥＤ５ｂ、緑色ＬＥＤ６ｂ、青色ＬＥＤ７ｂ及び白色ＬＥＤ８ｂより緑色ＬＥＤ６ａの方が赤色ＬＥＤ５ａに近い。同様に、赤色ＬＥＤ５ｂ、緑色ＬＥＤ６ｂ、青色ＬＥＤ７ｂ及び白色ＬＥＤ８ｂより青色ＬＥＤ７ａの方が赤色ＬＥＤ５ａに近い。赤色ＬＥＤ５ｂ、緑色ＬＥＤ６ｂ、青色ＬＥＤ７ｂ及び白色ＬＥＤ８ｂより白色ＬＥＤ８ａの方が赤色ＬＥＤ５ａに近い。緑色ＬＥＤ６ａ、青色ＬＥＤ７ａ及び白色ＬＥＤ８ａについても同様である。例えば、赤色ＬＥＤ５ｂ、緑色ＬＥＤ６ｂ、青色ＬＥＤ７ｂ及び白色ＬＥＤ８ｂより青色ＬＥＤ７ａの方が白色ＬＥＤ８ａに近い。
【００４１】
ＬＥＤグループＧＢでは、赤色ＬＥＤ５ｂは、青色ＬＥＤ７ｂ及び白色ＬＥＤ８ｂに隣接する。緑色ＬＥＤ６ｂは、青色ＬＥＤ７ｂ及び白色ＬＥＤ８ｂに隣接する。緑色ＬＥＤ６ｂは、赤色ＬＥＤ５ｂの対角に配置される。ＬＥＤグループＧＢに属するＬＥＤに関しては、どのＬＥＤも残りのＬＥＤの方が他のＬＥＤグループに属するＬＥＤよりも近くに配置される。即ち、ＬＥＤグループＧＢに属するＬＥＤ間の距離は、ＬＥＤグループＧＢに属するＬＥＤと他のＬＥＤグループに属するＬＥＤとの距離より短い。
【００４２】
例えば、赤色ＬＥＤ５ａ、緑色ＬＥＤ６ａ、青色ＬＥＤ７ａ及び白色ＬＥＤ８ａより緑色ＬＥＤ６ｂの方が赤色ＬＥＤ５ｂに近い。同様に、赤色ＬＥＤ５ａ、緑色ＬＥＤ６ａ、青色ＬＥＤ７ａ及び白色ＬＥＤ８ａより青色ＬＥＤ７ｂの方が赤色ＬＥＤ５ｂに近い。赤色ＬＥＤ５ａ、緑色ＬＥＤ６ａ、青色ＬＥＤ７ａ及び白色ＬＥＤ８ａより白色ＬＥＤ８ｂの方が赤色ＬＥＤ５ｂに近い。緑色ＬＥＤ６ｂ、青色ＬＥＤ７ｂ及び白色ＬＥＤ８ｂについても同様である。例えば、赤色ＬＥＤ５ａ、緑色ＬＥＤ６ａ、青色ＬＥＤ７ａ及び白色ＬＥＤ８ａより青色ＬＥＤ７ｂの方が白色ＬＥＤ８ｂに近い。
【００４３】
上記は、ＬＥＤグループＧＡに属するＬＥＤとＬＥＤグループＧＢに属するＬＥＤとに関する説明である。ＬＥＤグループＧＢに属するＬＥＤとＬＥＤグループＧＣに属するＬＥＤとに関しても同様のことが言える。また、ＬＥＤグループＧＣに属するＬＥＤとＬＥＤグループＧＡに属するＬＥＤとに関しても同様のことが言える。
【００４４】
ＬＥＤグループＧＡに属する赤色ＬＥＤ５ａ、緑色ＬＥＤ６ａ、青色ＬＥＤ７ａ及び白色ＬＥＤ８ａは、レンズ１０ａに対向する。赤色ＬＥＤ５ａから放射された赤色光は、レンズ１０ａに入射し、レンズ１０ａを透過する。緑色ＬＥＤ６ａから放射された緑色光は、レンズ１０ａに入射し、レンズ１０ａを透過する。青色ＬＥＤ７ａから放射された青色光は、レンズ１０ａに入射し、レンズ１０ａを透過する。白色ＬＥＤ８ａから放射された白色光は、レンズ１０ａに入射し、レンズ１０ａを透過する。レンズ１０ａからは、赤色ＬＥＤ５ａから放射された赤色光、緑色ＬＥＤ６ａから放射された緑色光、青色ＬＥＤ７ａから放射された青色光及び白色ＬＥＤ８ａから放射された白色光が混合された光が放射される。
【００４５】
ＬＥＤグループＧＢに属する赤色ＬＥＤ５ｂ、緑色ＬＥＤ６ｂ、青色ＬＥＤ７ｂ及び白色ＬＥＤ８ｂは、レンズ１０ｂに対向する。赤色ＬＥＤ５ｂから放射された赤色光は、レンズ１０ｂに入射し、レンズ１０ｂを透過する。緑色ＬＥＤ６ｂから放射された緑色光は、レンズ１０ｂに入射し、レンズ１０ｂを透過する。青色ＬＥＤ７ｂから放射された青色光は、レンズ１０ｂに入射し、レンズ１０ｂを透過する。白色ＬＥＤ８ｂから放射された白色光は、レンズ１０ｂに入射し、レンズ１０ｂを透過する。レンズ１０ｂからは、赤色ＬＥＤ５ｂから放射された赤色光、緑色ＬＥＤ６ｂから放射された緑色光、青色ＬＥＤ７ｂから放射された青色光及び白色ＬＥＤ８ｂから放射された白色光が混合された光が放射される。
【００４６】
ＬＥＤグループＧＣに属する赤色ＬＥＤ５ｃ、緑色ＬＥＤ６ｃ、青色ＬＥＤ７ｃ及び白色ＬＥＤ８ｃは、レンズ１０ｃに対向する。赤色ＬＥＤ５ｃから放射された赤色光は、レンズ１０ｃに入射し、レンズ１０ｃを透過する。緑色ＬＥＤ６ｃから放射された緑色光は、レンズ１０ｃに入射し、レンズ１０ｃを透過する。青色ＬＥＤ７ｃから放射された青色光は、レンズ１０ｃに入射し、レンズ１０ｃを透過する。白色ＬＥＤ８ｃから放射された白色光は、レンズ１０ｃに入射し、レンズ１０ｃを透過する。レンズ１０ｃからは、赤色ＬＥＤ５ｃから放射された赤色光、緑色ＬＥＤ６ｃから放射された緑色光、青色ＬＥＤ７ｃから放射された青色光及び白色ＬＥＤ８ｃから放射された白色光が混合された光が放射される。
【００４７】
本実施の形態に示す例では、レンズ１０が特許請求の範囲に記載された透過部材に相当する。
【００４８】
基板９はケース１１に支持される。図９は、ケース１１が円筒形状である例を示す。ケース１１は、赤色ＬＥＤ５、緑色ＬＥＤ６、青色ＬＥＤ７及び白色ＬＥＤ８の周囲を囲むように配置される。また、ケース１１は、基板９及びレンズ１０の周囲を囲むように配置される。レンズおさえ１２は、例えばケース１１に設けられる。レンズ１０は、レンズおさえ１２によって位置決めされる。
【００４９】
本実施の形態に示す例では、１個の赤色ＬＥＤ５、１個の緑色ＬＥＤ６、１個の青色ＬＥＤ７及び１個の白色ＬＥＤ８が１つの発光体として機能するように、１箇所に集中して配置される。上記４つのＬＥＤから放射される光は１つのレンズ１０に入射され、レンズ１０からは、上記４つのＬＥＤから放射される光が混合された光が放射される。このため、被照射物の影の部分に色割れが発生することを防止できる。
【００５０】
図１２は、照明器具の比較例を示す図である。図１２は、照明器具の好ましくない例を示す。図１２は、比較例である照明器具を図１に示すＢ方向から見た図に相当する。図１２（ａ）に示す例では、照明器具は３組の通信用ＬＥＤグループを備える。各通信用ＬＥＤグループには、１個の赤色ＬＥＤ、１個の緑色ＬＥＤ及び１個の青色ＬＥＤが備えられる。１つの通信用ＬＥＤグループに対して１個のレンズが設けられる。また、図１２（ａ）に示す例では、１５個の白色ＬＥＤが照明用に備えられる。１個の白色ＬＥＤに対して１個のレンズが設けられる。
【００５１】
図１２（ｂ）に示す例では、１個の赤色ＬＥＤ、１個の緑色ＬＥＤ及び１個の青色ＬＥＤが通信用に備えられる。赤色ＬＥＤに対して１個のレンズが設けられる。緑色ＬＥＤに対して１個のレンズが設けられる。青色ＬＥＤに対して１個のレンズが設けられる。また、図１２（ｂ）に示す例では、１６個の白色ＬＥＤが照明用に備えられる。１個の白色ＬＥＤに対して１個のレンズが設けられる。
【００５２】
図１２（ａ）及び（ｂ）に示す例では、レンズの数が増えて、照明器具が大型化してしまう。また、図１２（ｂ）に示す例では、赤色ＬＥＤからの赤色光、緑色ＬＥＤからの緑色光及び青色ＬＥＤからの青色光が混合されずに照明器具から放射される。このため、被照射物の影の部分に色割れが発生してしまう。図１３は、被照射物の影の部分に色割れが発生した様子を示す図である。図１３は、図１２（ｂ）に示す照明器具から被照射物に光が当てられた例を示す。
【００５３】
図１２に示す例に対して本実施の形態に示す例では、１つのＬＥＤグループに対して１個のレンズ１０が設けられる。このため、レンズ１０の数を低減でき、照明器具１を小型化することが可能である。また、本実施の形態に示す例では、１つのＬＥＤグループに属する４個のＬＥＤが１つの発光体として機能する。このため、被照射物の影の部分に色割れが発生することを防止できる。
【００５４】
図１４及び図１５は、照明器具１の他の例を示す図である。図１４は、図９に相当する図である。図１５は、図１１に相当する図である。図１４及び図１５に示す例では、照明器具１は、光源として３つのＬＥＤパッケージ１３を備える。ＬＥＤパッケージ１３は、図９から図１１に示す例におけるＬＥＤグループに相当する。以下の説明では、図９から図１１に示す例と相違する点について詳しく説明する。図９から図１１に示す例と同様の特徴については、その説明を適宜省略する。また、照明器具１に備えられたＬＥＤパッケージ１３を個別に特定する必要がある場合、図１４に示すように各符号の後に英字ａ〜ｃを付して区別する。
【００５５】
各ＬＥＤパッケージ１３は、１個の赤色ＬＥＤ５、１個の緑色ＬＥＤ６、１個の青色ＬＥＤ７及び１個の白色ＬＥＤ８を備える。例えば、ＬＥＤパッケージ１３ａは、赤色ＬＥＤ５ａ、緑色ＬＥＤ６ａ、青色ＬＥＤ７ａ及び白色ＬＥＤ８ａを備える。ＬＥＤパッケージ１３ｂは、赤色ＬＥＤ５ｂ、緑色ＬＥＤ６ｂ、青色ＬＥＤ７ｂ及び白色ＬＥＤ８ｂを備える。ＬＥＤパッケージ１３ｃは、赤色ＬＥＤ５ｃ、緑色ＬＥＤ６ｃ、青色ＬＥＤ７ｃ及び白色ＬＥＤ８ｃを備える。照明器具１は、ＬＥＤパッケージ１３の他に、例えば基板９、３個のレンズ１０、ケース１１及びレンズおさえ１２を備える。
【００５６】
ＬＥＤパッケージ１３ａ〜１３ｃは基板９に設けられる。図１４及び図１５に示す例では、第１制御部２ａは、赤色ＬＥＤ５ａ〜５ｃ、緑色ＬＥＤ６ａ〜６ｃ及び青色ＬＥＤ７ａ〜７ｃを制御する。第１制御部２ａは、赤色ＬＥＤ５ａ〜５ｃから放射される赤色光、緑色ＬＥＤ６ａ〜６ｃから放射される緑色光及び青色ＬＥＤ７ａ〜７ｃから放射される青色光の少なくとも何れか一つの光を変化させることにより、特定の情報を送信する。第１制御部２ａは、赤色ＬＥＤ５ａ〜５ｃから放射される赤色光、緑色ＬＥＤ６ａ〜６ｃから放射される緑色光及び青色ＬＥＤ７ａ〜７ｃから放射される青色光を個別に調節できる。第２制御部２ｂは、白色ＬＥＤ８ａ〜８ｃを制御する。第２制御部２ｂは、第１制御部２ａが行う制御とは関係なく、白色ＬＥＤ８ａ〜８ｃから放射される白色光を調節できる。
【００５７】
ＬＥＤパッケージ１３ａは、レンズ１０ａに対向する。即ち、赤色ＬＥＤ５ａ、緑色ＬＥＤ６ａ、青色ＬＥＤ７ａ及び白色ＬＥＤ８ａは、レンズ１０ａに対向する。ＬＥＤパッケージ１３ｂは、レンズ１０ｂに対向する。即ち、赤色ＬＥＤ５ｂ、緑色ＬＥＤ６ｂ、青色ＬＥＤ７ｂ及び白色ＬＥＤ８ｂは、レンズ１０ｂに対向する。ＬＥＤパッケージ１３ｃは、レンズ１０ｃに対向する。即ち、赤色ＬＥＤ５ｃ、緑色ＬＥＤ６ｃ、青色ＬＥＤ７ｃ及び白色ＬＥＤ８ｃは、レンズ１０ｃに対向する。
【００５８】
ＬＥＤパッケージ１３ａは、照明器具１において１つの発光体として機能する。例えば、赤色ＬＥＤ５ａから放射された赤色光は、レンズ１０ａに入射し、レンズ１０ａを透過する。緑色ＬＥＤ６ａから放射された緑色光は、レンズ１０ａに入射し、レンズ１０ａを透過する。青色ＬＥＤ７ａから放射された青色光は、レンズ１０ａに入射し、レンズ１０ａを透過する。白色ＬＥＤ８ａから放射された白色光は、レンズ１０ａに入射し、レンズ１０ａを透過する。レンズ１０ａからは、赤色ＬＥＤ５ａから放射された赤色光、緑色ＬＥＤ６ａから放射された緑色光、青色ＬＥＤ７ａから放射された青色光及び白色ＬＥＤ８ａから放射された白色光が混合された光が放射される。
【００５９】
同様に、ＬＥＤパッケージ１３ｂは、照明器具１において１つの発光体として機能する。例えば、レンズ１０ｂからは、赤色ＬＥＤ５ｂから放射された赤色光、緑色ＬＥＤ６ｂから放射された緑色光、青色ＬＥＤ７ｂから放射された青色光及び白色ＬＥＤ８ｂから放射された白色光が混合された光が放射される。また、ＬＥＤパッケージ１３ｃは、照明器具１において１つの発光体として機能する。例えば、レンズ１０ｃからは、赤色ＬＥＤ５ｃから放射された赤色光、緑色ＬＥＤ６ｃから放射された緑色光、青色ＬＥＤ７ｃから放射された青色光及び白色ＬＥＤ８ｃから放射された白色光が混合された光が放射される。
【００６０】
図１４及び図１５に示す例であっても図９から図１１に示す例が奏する効果と同様の効果を奏することができる。即ち、図１４及び図１５に示す例であっても、光を利用した通信を実現できるとともに、高い演色性を得ることができる。また、レンズ１０の数を低減でき、照明器具１を小型化することが可能である。更に、被照射物の影の部分に色割れが発生することを防止できる。
【００６１】
本実施の形態では、照明器具１が３つのＬＥＤグループ或いは３つのＬＥＤパッケージ１３を備える例について説明した。照明器具１が備えるＬＥＤグループ或いはＬＥＤパッケージ１３の数は、照明器具１の用途等に合わせて３つから増やしても減らしても良い。例えば、照明器具１が備えるＬＥＤグループを３つから増やした場合は、照明器具１の出力を増加させることができ、信号の伝送可能範囲を広げることができる。
【００６２】
実施の形態２．
図１６は、この発明の実施の形態２における照明装置の利用例を示す図である。本実施の形態では、実施の形態１に示す例と相違する点について詳しく説明する。実施の形態１に示す例と同様の特徴については、その説明を適宜省略する。照明装置は、例えば照明器具１及び制御ユニット２を備える。本実施の形態では、照明装置がベース型の照明器具１を備える例について説明する。制御ユニット２の機能は、実施の形態１で開示した機能と同様である。例えば、制御ユニット２は、第１制御部２ａ及び第２制御部２ｂを備える。
【００６３】
図１７は、照明器具１の例を示す図である。図１８は、照明器具１の分解斜視図である。図１７及び図１８に示す例では、照明器具１は、８個の赤色ＬＥＤ５、８個の緑色ＬＥＤ６、８個の青色ＬＥＤ７及び８個の白色ＬＥＤ８を備える。照明器具１は、上記３２個のＬＥＤの他に、例えば基板９、ケース１１及びカバー１４を備える。
【００６４】
図１９は、基板９とＬＥＤの配置例を示す図である。本実施の形態に示す例においても、１個の赤色ＬＥＤ５、１個の緑色ＬＥＤ６、１個の青色ＬＥＤ７及び１個の白色ＬＥＤ８によって１つのＬＥＤグループが形成される。図１７は、照明器具１が８つのＬＥＤグループを備える例を示す。
【００６５】
以下の説明においても、照明器具１に備えられたＬＥＤを個別に特定する必要がある場合、図１８に示すように各符号の後に英字ａ〜ｈを付して区別する。図１８に示す例では、同じＬＥＤグループに属するＬＥＤに対して同じ英字が付されている。即ち、照明器具１は、赤色ＬＥＤ５ａ〜５ｈ、緑色ＬＥＤ６ａ〜６ｈ、青色ＬＥＤ７ａ〜７ｈ及び白色ＬＥＤ８ａ〜８ｈを備える。赤色ＬＥＤ５ａ、緑色ＬＥＤ６ａ、青色ＬＥＤ７ａ及び白色ＬＥＤ８ａはＬＥＤグループＧＡに属する。赤色ＬＥＤ５ｂ、緑色ＬＥＤ６ｂ、青色ＬＥＤ７ｂ及び白色ＬＥＤ８ｂはＬＥＤグループＧＢに属する。同様に、赤色ＬＥＤ５ｈ、緑色ＬＥＤ６ｈ、青色ＬＥＤ７ｈ及び白色ＬＥＤ８ｈはＬＥＤグループＧＨに属する。
【００６６】
基板９は、例えば長方形状である。赤色ＬＥＤ５ａ〜５ｈ、緑色ＬＥＤ６ａ〜６ｈ、青色ＬＥＤ７ａ〜７ｈ及び白色ＬＥＤ８ａ〜８ｈは、基板９に設けられる。第１制御部２ａは、赤色ＬＥＤ５ａ〜５ｈ、緑色ＬＥＤ６ａ〜６ｈ及び青色ＬＥＤ７ａ〜７ｈを制御する。第１制御部２ａは、赤色ＬＥＤ５ａ〜５ｈから放射される赤色光、緑色ＬＥＤ６ａ〜６ｈから放射される緑色光及び青色ＬＥＤ７ａ〜７ｈから放射される青色光の少なくとも何れか一つの光を変化させることにより、特定の情報を送信する。第１制御部２ａは、赤色ＬＥＤ５ａ〜５ｈから放射される赤色光、緑色ＬＥＤ６ａ〜６ｈから放射される緑色光及び青色ＬＥＤ７ａ〜７ｈから放射される青色光を個別に調節できる。第２制御部２ｂは、白色ＬＥＤ８ａ〜８ｈを制御する。第２制御部２ｂは、第１制御部２ａが行う制御とは関係なく、白色ＬＥＤ８ａ〜８ｈから放射される白色光を調節できる。
【００６７】
同じＬＥＤグループに属するＬＥＤは、照明器具１において色割れが発生しない１つの発光体として機能するように、基板９の特定の領域に集めて配置される。例えば、ＬＥＤグループＧＡに属する赤色ＬＥＤ５ａ、緑色ＬＥＤ６ａ、青色ＬＥＤ７ａ及び白色ＬＥＤ８ａは、照明器具１において１つの発光体として機能するように、基板９の第１領域に集中実装される。ＬＥＤグループＧＢに属する赤色ＬＥＤ５ｂ、緑色ＬＥＤ６ｂ、青色ＬＥＤ７ｂ及び白色ＬＥＤ８ｂは、照明器具１において１つの発光体として機能するように、基板９の第２領域に集中実装される。同様に、ＬＥＤグループＧＨに属する赤色ＬＥＤ５ｈ、緑色ＬＥＤ６ｈ、青色ＬＥＤ７ｈ及び白色ＬＥＤ８ｈは、照明器具１において１つの発光体として機能するように、基板９の第８領域に集中実装される。なお、図１７から図１９に示す例では、同じＬＥＤグループに属する複数のＬＥＤが照明器具１において１つの発光体として機能するように配置されているため、カバー１４に色割れ或いは発行ムラが発生することを防止できる。カバー１４が例えば乳白色の光拡散性を有する部材で形成されていれば、被照射物の影の部分に色割れが発生することを更に抑制できる。
【００６８】
ＬＥＤグループＧＡでは、赤色ＬＥＤ５ａは、青色ＬＥＤ７ａ及び白色ＬＥＤ８ａに隣接する。緑色ＬＥＤ６ａは、青色ＬＥＤ７ａ及び白色ＬＥＤ８ａに隣接する。緑色ＬＥＤ６ａは、赤色ＬＥＤ５ａの対角に配置される。ＬＥＤグループＧＡに属するＬＥＤに関しては、どのＬＥＤも残りのＬＥＤの方が他のＬＥＤグループに属するＬＥＤよりも近くに配置される。即ち、ＬＥＤグループＧＡに属するＬＥＤ間の距離は、ＬＥＤグループＧＡに属するＬＥＤと他のＬＥＤグループに属するＬＥＤとの距離より短い。
【００６９】
同様に、ＬＥＤグループＧＢでは、赤色ＬＥＤ５ｂは、青色ＬＥＤ７ｂ及び白色ＬＥＤ８ｂに隣接する。緑色ＬＥＤ６ｂは、青色ＬＥＤ７ｂ及び白色ＬＥＤ８ｂに隣接する。緑色ＬＥＤ６ｂは、赤色ＬＥＤ５ｂの対角に配置される。ＬＥＤグループＧＢに属するＬＥＤに関しては、どのＬＥＤも残りのＬＥＤの方が他のＬＥＤグループに属するＬＥＤよりも近くに配置される。即ち、ＬＥＤグループＧＢに属するＬＥＤ間の距離は、ＬＥＤグループＧＢに属するＬＥＤと他のＬＥＤグループに属するＬＥＤとの距離より短い。
【００７０】
他のＬＥＤグループについても同様である。あるＬＥＤグループに属するＬＥＤに関しては、どのＬＥＤも残りのＬＥＤの方が他のＬＥＤグループに属するＬＥＤよりも近くに配置される。例えば、ＬＥＤグループＧＨに属するＬＥＤ間の距離は、ＬＥＤグループＧＨに属するＬＥＤと他のＬＥＤグループに属するＬＥＤとの距離より短い。
【００７１】
基板９はケース１１に支持される。図１７及び図１８は、ケース１１が基板９の台のような形状である例を示す。カバー１４は、例えばケース１１に設けられる。カバー１４は、基板９を覆うように配置される。カバー１４は、透明或いは半透明である。カバー１４は、例えば透過する光を拡散する機能を有する。
【００７２】
ＬＥＤグループＧＡに属する赤色ＬＥＤ５ａ、緑色ＬＥＤ６ａ、青色ＬＥＤ７ａ及び白色ＬＥＤ８ａは、カバー１４に対向する。赤色ＬＥＤ５ａから放射された赤色光は、カバー１４に入射し、カバー１４を透過する。緑色ＬＥＤ６ａから放射された緑色光は、カバー１４に入射し、カバー１４を透過する。青色ＬＥＤ７ａから放射された青色光は、カバー１４に入射し、カバー１４を透過する。白色ＬＥＤ８ａから放射された白色光は、カバー１４に入射し、カバー１４を透過する。カバー１４からは、赤色ＬＥＤ５ａから放射された赤色光、緑色ＬＥＤ６ａから放射された緑色光、青色ＬＥＤ７ａから放射された青色光及び白色ＬＥＤ８ａから放射された白色光が混合された光が放射される。
【００７３】
ＬＥＤグループＧＢに属する赤色ＬＥＤ５ｂ、緑色ＬＥＤ６ｂ、青色ＬＥＤ７ｂ及び白色ＬＥＤ８ｂは、カバー１４に対向する。赤色ＬＥＤ５ｂから放射された赤色光は、カバー１４に入射し、カバー１４を透過する。緑色ＬＥＤ６ｂから放射された緑色光は、カバー１４に入射し、カバー１４を透過する。青色ＬＥＤ７ｂから放射された青色光は、カバー１４に入射し、カバー１４を透過する。白色ＬＥＤ８ｂから放射された白色光は、カバー１４に入射し、カバー１４を透過する。カバー１４からは、赤色ＬＥＤ５ｂから放射された赤色光、緑色ＬＥＤ６ｂから放射された緑色光、青色ＬＥＤ７ｂから放射された青色光及び白色ＬＥＤ８ｂから放射された白色光が混合された光が放射される。
【００７４】
他のＬＥＤグループについても同様である。例えば、ＬＥＤグループＧＨに属する赤色ＬＥＤ５ｈ、緑色ＬＥＤ６ｈ、青色ＬＥＤ７ｈ及び白色ＬＥＤ８ｈは、カバー１４に対向する。赤色ＬＥＤ５ｈから放射された赤色光は、カバー１４に入射し、カバー１４を透過する。緑色ＬＥＤ６ｈから放射された緑色光は、カバー１４に入射し、カバー１４を透過する。青色ＬＥＤ７ｈから放射された青色光は、カバー１４に入射し、カバー１４を透過する。白色ＬＥＤ８ｈから放射された白色光は、カバー１４に入射し、カバー１４を透過する。カバー１４からは、赤色ＬＥＤ５ｈから放射された赤色光、緑色ＬＥＤ６ｈから放射された緑色光、青色ＬＥＤ７ｈから放射された青色光及び白色ＬＥＤ８ｈから放射された白色光が混合された光が放射される。
【００７５】
本実施の形態に示す例では、カバー１４が特許請求の範囲に記載された透過部材に相当する。
【００７６】
本実施の形態に示す例であっても、実施の形態１で開示した例が奏する効果と同様の効果を奏することができる。例えば、本実施の形態に示す例であれば、光を利用した通信を実現できるとともに、高い演色性を得ることができる。
【００７７】
本実施の形態に示す例では、１個の赤色ＬＥＤ５、１個の緑色ＬＥＤ６、１個の青色ＬＥＤ７及び１個の白色ＬＥＤ８が１つの発光体として機能するように、１箇所に集中して配置される。上記４つのＬＥＤから放射される光はカバー１４に入射され、拡散性を有するカバー１４からは、上記４つのＬＥＤから放射される光が混合された光が放射される。したがって、カバー１４によって、被照射物の影の部分に色割れが発生することを更に抑制できる。
【００７８】
図２０及び図２１は、照明器具の比較例を示す図である。図２０及び図２１は、照明器具の好ましくない例を示す。図２０は、照明器具の分解斜視図である。図２０及び図２１に示す例では、照明器具は３組の通信用ＬＥＤグループを備える。各通信用ＬＥＤグループには、１個の赤色ＬＥＤ、１個の緑色ＬＥＤ及び１個の青色ＬＥＤが備えられる。また、図２０及び図２１に示す例では、６個の白色ＬＥＤが照明用に備えられる。通信用ＬＥＤグループと白色ＬＥＤとは、等間隔に一直線状に配置される。通信用ＬＥＤグループから放射される光の色を白色ＬＥＤから放射される光の色に一致させることは難しい。このため、上記照明器具では、図２１に示すように白色の発光ムラ或いは輝度ムラが発生してしまう。
【００７９】
図２２及び図２３は、照明器具の他の比較例を示す図である。図２２及び図２３は、照明器具の好ましくない例を示す。図２２は、照明器具の分解斜視図である。図２２及び図２３に示す例では、１個の赤色ＬＥＤ、１個の緑色ＬＥＤ及び１個の青色ＬＥＤが通信用に備えられる。また、図２２及び図２３に示す例では、６個の白色ＬＥＤが照明用に備えられる。上記９個のＬＥＤは、等間隔に一直線状に配置される。上記照明器具では、図２３に示すように、カバーのうち通信用のＬＥＤが対向する部分に、それぞれの色の発光ムラが発生してしまう。
【００８０】
図２０から図２３に示す例に対して本実施の形態に示す例では、１つのＬＥＤグループに属する４個のＬＥＤが１つの発光体として機能する。このため、カバー１４に色割れ或いは発光ムラが発生することを防止できる。
【００８１】
本実施の形態に示す例においても、照明器具１は、光源としてＬＥＤパッケージ１３を備えても良い。ＬＥＤパッケージ１３は、例えば１個の赤色ＬＥＤ５、１個の緑色ＬＥＤ６、１個の青色ＬＥＤ７及び１個の白色ＬＥＤ８を備える。ＬＥＤパッケージ１３は、カバー１４に対向するように基板９に設けられる。ＬＥＤパッケージ１３を図１７から図１９に示す照明器具１に適用する場合、例えば８個のＬＥＤパッケージ１３が等間隔に一直線状に配置される。
【００８２】
実施の形態３．
図２４は、この発明の実施の形態３における照明装置の利用例を示す図である。本実施の形態では、実施の形態１に示す例と相違する点について詳しく説明する。実施の形態１に示す例と同様の事項については、その説明を適宜省略する。照明装置は、例えば照明器具１及び制御ユニット２（図２４では図示せず）を備える。本実施の形態では、照明装置が案内表示板型の照明器具１を備える例について説明する。制御ユニット２の機能は、実施の形態１で開示した機能と同様である。例えば、制御ユニット２は、第１制御部２ａ及び第２制御部２ｂを備える。
【００８３】
図２５は、図２４のＣ−Ｃ断面を示す図である。図２４及び図２５に示す例では、照明器具１は、２４個の赤色ＬＥＤ５、２４個の緑色ＬＥＤ６、２４個の青色ＬＥＤ７及び２４個の白色ＬＥＤ８を備える。照明器具１は、上記９６個のＬＥＤの他に、例えば基板９、ケース１１及びカバー１４を備える。図２４は、カバー１４がケース１１から取り外された状態を示す。
【００８４】
図２６は、基板９とＬＥＤの配置例を示す図である。本実施の形態に示す例においても、１個の赤色ＬＥＤ５、１個の緑色ＬＥＤ６、１個の青色ＬＥＤ７及び１個の白色ＬＥＤ８によって１つのＬＥＤグループが形成される。図２４は、照明器具１が２４個のＬＥＤグループを備える例を示す。
【００８５】
本実施の形態に示す例ではＬＥＤの数が多いため、ＬＥＤグループＧＡに属するＬＥＤ及びＬＥＤグループＧＢに属するＬＥＤについてのみ符号の後に英字を付して他のＬＥＤと区別している。例えば、赤色ＬＥＤ５ａ、緑色ＬＥＤ６ａ、青色ＬＥＤ７ａ及び白色ＬＥＤ８ａはＬＥＤグループＧＡに属する。赤色ＬＥＤ５ｂ、緑色ＬＥＤ６ｂ、青色ＬＥＤ７ｂ及び白色ＬＥＤ８ｂはＬＥＤグループＧＢに属する。
【００８６】
基板９は、例えば長方形状である。赤色ＬＥＤ５、緑色ＬＥＤ６、青色ＬＥＤ７及び白色ＬＥＤ８は、基板９に設けられる。第１制御部２ａは、赤色ＬＥＤ５、緑色ＬＥＤ６及び青色ＬＥＤ７を制御する。第１制御部２ａは、赤色ＬＥＤ５から放射される赤色光、緑色ＬＥＤ６から放射される緑色光及び青色ＬＥＤ７から放射される青色光の少なくとも何れか一つの光を変化させることにより、特定の情報を送信する。第１制御部２ａは、赤色ＬＥＤ５から放射される赤色光、緑色ＬＥＤ６から放射される緑色光及び青色ＬＥＤ７から放射される青色光を個別に調節できる。第２制御部２ｂは、白色ＬＥＤ８を制御する。第２制御部２ｂは、第１制御部２ａが行う制御とは関係なく、白色ＬＥＤ８から放射される白色光を調節できる。
【００８７】
同じＬＥＤグループに属するＬＥＤは、照明器具１において色割れが発生しない１つの発光体として機能するように、基板９の特定の領域に集めて配置される。例えば、ＬＥＤグループＧＡに属する赤色ＬＥＤ５ａ、緑色ＬＥＤ６ａ、青色ＬＥＤ７ａ及び白色ＬＥＤ８ａは、照明器具１において１つの発光体として機能するように、基板９の第１領域に集中実装される。ＬＥＤグループＧＢに属する赤色ＬＥＤ５ｂ、緑色ＬＥＤ６ｂ、青色ＬＥＤ７ｂ及び白色ＬＥＤ８ｂは、照明器具１において１つの発光体として機能するように、基板９の第２領域に集中実装される。
【００８８】
ＬＥＤグループＧＡでは、赤色ＬＥＤ５ａは、青色ＬＥＤ７ａ及び白色ＬＥＤ８ａに隣接する。緑色ＬＥＤ６ａは、青色ＬＥＤ７ａ及び白色ＬＥＤ８ａに隣接する。緑色ＬＥＤ６ａは、赤色ＬＥＤ５ａの対角に配置される。ＬＥＤグループＧＡに属するＬＥＤに関しては、どのＬＥＤも残りのＬＥＤの方が他のＬＥＤグループに属するＬＥＤよりも近くに配置される。即ち、ＬＥＤグループＧＡに属するＬＥＤ間の距離は、ＬＥＤグループＧＡに属するＬＥＤと他のＬＥＤグループに属するＬＥＤとの距離より短い。
【００８９】
ＬＥＤグループＧＢでは、赤色ＬＥＤ５ｂは、青色ＬＥＤ７ｂ及び白色ＬＥＤ８ｂに隣接する。緑色ＬＥＤ６ｂは、青色ＬＥＤ７ｂ及び白色ＬＥＤ８ｂに隣接する。緑色ＬＥＤ６ｂは、赤色ＬＥＤ５ｂの対角に配置される。ＬＥＤグループＧＢに属するＬＥＤに関しては、どのＬＥＤも残りのＬＥＤの方が他のＬＥＤグループに属するＬＥＤよりも近くに配置される。即ち、ＬＥＤグループＧＢに属するＬＥＤ間の距離は、ＬＥＤグループＧＢに属するＬＥＤと他のＬＥＤグループに属するＬＥＤとの距離より短い。
【００９０】
他のＬＥＤグループについても同様である。あるＬＥＤグループに属するＬＥＤに関しては、どのＬＥＤも残りのＬＥＤの方が他のＬＥＤグループに属するＬＥＤよりも近くに配置される。
【００９１】
基板９は、ケース１１に支持される。図２４及び図２５は、ケース１１が箱形状である例を示す。ケース１１は、赤色ＬＥＤ５、緑色ＬＥＤ６、青色ＬＥＤ７及び白色ＬＥＤ８の周囲を囲むように配置される。また、ケース１１は、基板９の周囲を囲むように配置される。カバー１４は、例えばケース１１の開口を塞ぐようにケース１１に設けられる。カバー１４は、基板９を覆うように配置される。カバー１４は、透明或いは半透明である。カバー１４の表面に、例えば案内のための文字及び図柄等が付される。
【００９２】
ＬＥＤグループＧＡに属する赤色ＬＥＤ５ａ、緑色ＬＥＤ６ａ、青色ＬＥＤ７ａ及び白色ＬＥＤ８ａは、カバー１４に対向する。赤色ＬＥＤ５ａから放射された赤色光は、カバー１４に入射し、カバー１４を透過する。緑色ＬＥＤ６ａから放射された緑色光は、カバー１４に入射し、カバー１４を透過する。青色ＬＥＤ７ａから放射された青色光は、カバー１４に入射し、カバー１４を透過する。白色ＬＥＤ８ａから放射された白色光は、カバー１４に入射し、カバー１４を透過する。カバー１４からは、赤色ＬＥＤ５ａから放射された赤色光、緑色ＬＥＤ６ａから放射された緑色光、青色ＬＥＤ７ａから放射された青色光及び白色ＬＥＤ８ａから放射された白色光が混合された光が放射される。
【００９３】
ＬＥＤグループＧＢに属する赤色ＬＥＤ５ｂ、緑色ＬＥＤ６ｂ、青色ＬＥＤ７ｂ及び白色ＬＥＤ８ｂは、カバー１４に対向する。赤色ＬＥＤ５ｂから放射された赤色光は、カバー１４に入射し、カバー１４を透過する。緑色ＬＥＤ６ｂから放射された緑色光は、カバー１４に入射し、カバー１４を透過する。青色ＬＥＤ７ｂから放射された青色光は、カバー１４に入射し、カバー１４を透過する。白色ＬＥＤ８ｂから放射された白色光は、カバー１４に入射し、カバー１４を透過する。カバー１４からは、赤色ＬＥＤ５ｂから放射された赤色光、緑色ＬＥＤ６ｂから放射された緑色光、青色ＬＥＤ７ｂから放射された青色光及び白色ＬＥＤ８ｂから放射された白色光が混合された光が放射される。
【００９４】
他のＬＥＤグループについても同様である。カバー１４からは、赤色ＬＥＤ５から放射された赤色光、緑色ＬＥＤ６から放射された緑色光、青色ＬＥＤ７から放射された青色光及び白色ＬＥＤ８から放射された白色光が混合された光が放射される。
【００９５】
本実施の形態に示す例では、カバー１４が特許請求の範囲に記載された透過部材に相当する。
【００９６】
本実施の形態に示す例であっても、実施の形態１で開示した例が奏する効果と同様の効果を奏することができる。例えば、本実施の形態に示す例であれば、案内表示板型の照明装置に、光を利用した通信機能を備えさせることができる。
【００９７】
本実施の形態に示す例では、１個の赤色ＬＥＤ５、１個の緑色ＬＥＤ６、１個の青色ＬＥＤ７及び１個の白色ＬＥＤ８が１つの発光体として機能するように、１箇所に集中して配置される。上記４つのＬＥＤから放射される光はカバー１４に入射され、カバー１４からは、上記４つのＬＥＤから放射される光が混合された光が放射される。このため、カバー１４に色割れ或いは発光ムラが発生することを防止できる。
【００９８】
図２７は、照明器具の比較例を示す図である。図２７は、照明器具の好ましくない例を示す。図２７に示す例では、照明器具は２組の通信用ＬＥＤグループを備える。各通信用ＬＥＤグループには、１個の赤色ＬＥＤ、１個の緑色ＬＥＤ及び１個の青色ＬＥＤが備えられる。また、図２７に示す例では、２２個の白色ＬＥＤが照明用に備えられる。通信用ＬＥＤグループと白色ＬＥＤとは、等間隔に格子状に配置される。通信用ＬＥＤグループから放射される光の色を白色ＬＥＤから放射される光の色に一致させることは難しい。このため、上記照明器具では、白色の発光ムラ或いは輝度ムラが発生してしまう。
【００９９】
図２８は、照明器具の他の比較例を示す図である。図２８は、照明器具の好ましくない例を示す。図２８に示す例では、３個の赤色ＬＥＤ、３個の緑色ＬＥＤ及び３個の青色ＬＥＤが通信用に備えられる。また、図２８に示す例では、２４個の白色ＬＥＤが照明用に備えられる。２４個の白色ＬＥＤは、等間隔に格子状に配置される。通信用の上記９個のＬＥＤは、白色ＬＥＤの間に配置される。上記照明器具では、カバーのうち通信用のＬＥＤが対向する部分に、それぞれの色の発光ムラが発生してしまう。
【０１００】
図２７及び図２８に示す例に対して本実施の形態に示す例では、１つのＬＥＤグループに属する４個のＬＥＤが１つの発光体として機能する。このため、カバー１４に色割れ或いは発光ムラが発生することを防止できる。
【０１０１】
図２４から図２６に示す例においても、照明器具１は、光源としてＬＥＤパッケージ１３を備えても良い。ＬＥＤパッケージ１３は、例えば１個の赤色ＬＥＤ５、１個の緑色ＬＥＤ６、１個の青色ＬＥＤ７及び１個の白色ＬＥＤ８を備える。ＬＥＤパッケージ１３は、カバー１４に対向するように基板９に設けられる。ＬＥＤパッケージ１３を図２４から図２６に示す照明器具１に適用する場合、例えば２４個のＬＥＤパッケージ１３が等間隔に格子状に配置される。
【０１０２】
図２９は、この発明の実施の形態３における照明装置の他の利用例を示す図である。照明装置は、例えば照明器具１及び制御ユニット２（図２９では図示せず）を備える。制御ユニット２の機能は上述した例と同様である。図３０は、図２９に示す照明器具１の断面を示す図である。図２９及び図３０に示す例では、照明器具１は、９個の赤色ＬＥＤ５、９個の緑色ＬＥＤ６、９個の青色ＬＥＤ７及び９個の白色ＬＥＤ８を備える。照明器具１は、上記３６個のＬＥＤの他に、例えば基板９、ケース１１、カバー１４及び反射部材１５を備える。
【０１０３】
赤色ＬＥＤ５、緑色ＬＥＤ６、青色ＬＥＤ７及び白色ＬＥＤ８は、基板９に設けられる。図２９及び図３０に示す例においても、１個の赤色ＬＥＤ５、１個の緑色ＬＥＤ６、１個の青色ＬＥＤ７及び１個の白色ＬＥＤ８によって１つのＬＥＤグループが形成される。図２９は、照明器具１が９個のＬＥＤグループを備える例を示す。同じＬＥＤグループに属するＬＥＤは、照明器具１において色割れが発生しない１つの発光体として機能するように、基板９の特定の領域に集中実装される。なお、図２９及び図３０に示す例では、同じＬＥＤグループに属する複数のＬＥＤが照明器具１において１つの発光体として機能するように配置されているため、カバー１４に色割れ或いは発行ムラが発生することを防止できる。カバー１４が例えば乳白色の光拡散性を有する部材で形成されていれば、被照射物の影の部分に色割れが発生することを更に抑制できる。
【０１０４】
基板９は、ケース１１に支持される。反射部材１５は、ケース１１に支持される。カバー１４は、例えばケース１１の開口を塞ぐようにケース１１に設けられる。カバー１４は、基板９及び反射部材１５を覆うように配置される。カバー１４は、透明或いは半透明である。カバー１４の表面に、例えば案内のための文字及び図柄等が付される。
【０１０５】
反射部材１５は、赤色ＬＥＤ５、緑色ＬＥＤ６、青色ＬＥＤ７及び白色ＬＥＤ８に対して斜めに対向する。反射部材１５は、カバー１４に対して斜めに対向する。各ＬＥＤグループにおいて、赤色ＬＥＤ５から放射された赤色光は、反射部材１５に当たり、反射部材１５で反射する。反射部材１５で反射した赤色ＬＥＤ５からの赤色光は、カバー１４に入射し、カバー１４を透過する。緑色ＬＥＤ６から放射された緑色光は、反射部材１５に当たり、反射部材１５で反射する。反射部材１５で反射した緑色ＬＥＤ６からの緑色光は、カバー１４に入射し、カバー１４を透過する。青色ＬＥＤ７から放射された青色光は、反射部材１５に当たり、反射部材１５で反射する。反射部材１５で反射した青色ＬＥＤ７からの青色光は、カバー１４に入射し、カバー１４を透過する。白色ＬＥＤ８から放射された白色光は、反射部材１５に当たり、反射部材１５で反射する。反射部材１５で反射した白色ＬＥＤ８からの白色光は、カバー１４に入射し、カバー１４を透過する。カバー１４からは、反射部材１５で反射した赤色ＬＥＤ５から放射された赤色光、反射部材１５で反射した緑色ＬＥＤ６から放射された緑色光、反射部材１５で反射した青色ＬＥＤ７から放射された青色光及び反射部材１５で反射した白色ＬＥＤ８から放射された白色光が混合された光が放射される。
【０１０６】
図２９及び図３０に示す例では、カバー１４が特許請求の範囲に記載された透過部材に相当する。
【０１０７】
図２９及び図３０に示す例であっても、図２４から図２６に示す例が奏する効果と同様の効果を奏することができる。例えば、図２９及び図３０に示す例であれば、案内表示板型の照明装置に、光を利用した通信機能を備えさせることができる。
【０１０８】
図２９及び図３０に示す例では、１個の赤色ＬＥＤ５、１個の緑色ＬＥＤ６、１個の青色ＬＥＤ７及び１個の白色ＬＥＤ８が１つの発光体として機能するように、１箇所に集中して配置される。上記４つのＬＥＤから放射される光は反射部材１５で反射した後にカバー１４に入射され、カバー１４からは、上記４つのＬＥＤから放射される光が混合された光が放射される。このため、カバー１４に色割れ或いは発光ムラが発生することを防止できる。
【０１０９】
図３１は、照明器具の比較例を示す図である。図３１は、照明器具の好ましくない例を示す。図３１に示す例では、照明器具は３組の通信用ＬＥＤグループを備える。各通信用ＬＥＤグループには、１個の赤色ＬＥＤ、１個の緑色ＬＥＤ及び１個の青色ＬＥＤが備えられる。また、図３１に示す例では、６個の白色ＬＥＤが照明用に備えられる。通信用ＬＥＤグループと白色ＬＥＤとは、等間隔に一直線状に配置される。通信用ＬＥＤグループから放射される光の色を白色ＬＥＤから放射される光の色に一致させることは難しい。このため、上記照明器具では、白色の発光ムラ或いは輝度ムラが発生してしまう。
【０１１０】
図３２は、照明器具の他の比較例を示す図である。図３２は、照明器具の好ましくない例を示す。図３２に示す例では、１個の赤色ＬＥＤ、１個の緑色ＬＥＤ及び１個の青色ＬＥＤが通信用に備えられる。また、図３２に示す例では、６個の白色ＬＥＤが照明用に備えられる。上記９個のＬＥＤは、等間隔に一直線状に配置される。上記照明器具では、カバーの一部に、赤色、緑色及び青色の発光ムラが発生してしまう。
【０１１１】
図３１及び図３２に示す例に対して図２９及び図３０に示す例では、１つのＬＥＤグループに属する４個のＬＥＤが１つの発光体として機能する。このため、カバー１４に色割れ或いは発光ムラが発生することを防止できる。
【０１１２】
図２９及び図３０に示す例においても、照明器具１は、光源としてＬＥＤパッケージ１３を備えても良い。ＬＥＤパッケージ１３は、例えば１個の赤色ＬＥＤ５、１個の緑色ＬＥＤ６、１個の青色ＬＥＤ７及び１個の白色ＬＥＤ８を備える。ＬＥＤパッケージ１３は、反射部材１５に斜めに対向するように基板９に設けられる。ＬＥＤパッケージ１３を図２９及び図３０に示す照明器具１に適用する場合、例えば９個のＬＥＤパッケージ１３が等間隔に一直線状に配置される。
【０１１３】
実施の形態１〜３では、赤色ＬＥＤ５、緑色ＬＥＤ６及び青色ＬＥＤ７が照明用及び可視光通信用として利用される例について説明した。赤色ＬＥＤ５、緑色ＬＥＤ６及び青色ＬＥＤ７は、可視光通信専用として用いられても良い。実施の形態１〜３では、照明器具１がＬＥＤを備える例について説明した。照明器具１は、ＬＥＤ以外の発光素子を備えても良い。例えば、照明器具１は、有機ＥＬ等の発光素子を備えても良い。
【０１１４】
制御ユニット２は、ハードウェア資源として、例えばプロセッサとメモリとを含む処理回路を備える。制御ユニット２は、メモリに記憶されたプログラムをプロセッサによって実行することにより、第１制御部２ａ及び第２制御部２ｂの各機能を実現する。制御ユニット２が有する各機能の一部又は全部をハードウェアによって実現しても良い。
【符号の説明】
【０１１５】
１  照明器具
２  制御ユニット
２ａ  第１制御部
２ｂ  第２制御部
３  鞄
４  携帯端末
５  赤色ＬＥＤ
６  緑色ＬＥＤ
７  青色ＬＥＤ
８  白色ＬＥＤ
９  基板
１０  レンズ
１１  ケース
１２  レンズおさえ
１３  ＬＥＤパッケージ
１４  カバー
１５  反射部材
【図１】
2018120759.tif 000006
【図２】
2018120759.tif 000007
【図３】
2018120759.tif 000008
【図４】
2018120759.tif 000009
【図５】
2018120759.tif 000010
【図６】
2018120759.tif 000011
【図７】
2018120759.tif 000012
【図８】
2018120759.tif 000013
【図９】
2018120759.tif 000014
【図１０】
2018120759.tif 000015
【図１１】
2018120759.tif 000016
【図１２】
2018120759.tif 000017
【図１３】
2018120759.tif 000018
【図１４】
2018120759.tif 000019
【図１５】
2018120759.tif 000020
【図１６】
2018120759.tif 000021
【図１７】
2018120759.tif 000022
【図１８】
2018120759.tif 000023
【図１９】
2018120759.tif 000024
【図２０】
2018120759.tif 000025
【図２１】
2018120759.tif 000026
【図２２】
2018120759.tif 000027
【図２３】
2018120759.tif 000028
【図２４】
2018120759.tif 000029
【図２５】
2018120759.tif 000030
【図２６】
2018120759.tif 000031
【図２７】
2018120759.tif 000032
【図２８】
2018120759.tif 000033
【図２９】
2018120759.tif 000034
【図３０】
2018120759.tif 000035
【図３１】
2018120759.tif 000036
【図３２】
2018120759.tif 000037